【手続補正書】
【提出日】平成17年5月19日(2005.5.19)
【手続補正１】
【補正対象書類名】明細書
【補正対象項目名】発明の名称
【補正方法】変更
【補正の内容】
【発明の名称】情報処理装置
【手続補正２】
【補正対象書類名】明細書
【補正対象項目名】特許請求の範囲
【補正方法】変更
【補正の内容】
【特許請求の範囲】
【請求項１】
所定の画像表示手段に表示された画像中のオブジェクトのオブジェクト輪郭がそれぞれ任意に指定されることにより得られた複数の指定輪郭を統合処理して平均輪郭を生成する統合処理手段と、
上記オブジェクト輪郭に対し、指定される際に注意を要すると推測される指定注意部分に対応した上記平均輪郭の加工対象部分を加工して注意喚起輪郭を生成する輪郭加工手段と、
上記注意喚起輪郭を表示する注意喚起輪郭表示手段と
を具えることを特徴とする情報処理装置。
【請求項２】
上記オブジェクト輪郭に対する上記平均輪郭の誤差量を推測し、当該推測した誤差量に基づいて上記平均輪郭の上記加工対象部分を特定する特定手段
を具え、
上記輪郭加工手段は、上記平均輪郭から上記特定手段によって特定された上記加工対象部分を加工して上記注意喚起輪郭を生成する
ことを特徴とする請求項１に記載の情報処理装置。
【請求項３】
上記特定手段は、上記複数の指定輪郭の分散値に基づいて上記オブジェクト輪郭に対する上記平均輪郭の上記誤差量を推測する
ことを特徴とする請求項２に記載の情報処理装置。
【請求項４】
上記特定手段は、上記オブジェクト輪郭がなぞられて指定される際の描線速度に基づいて上記オブジェクト輪郭に対する上記平均輪郭の上記誤差量を推測する
ことを特徴とする請求項２に記載の情報処理装置。
【請求項５】
上記オブジェクト輪郭に対して上記指定注意部分を指定入力するための指定入力手段
を具え、
上記輪郭加工手段は、上記指定入力手段を介して指定入力された上記指定注意部分に対応する上記平均輪郭の上記加工対象部分を加工して上記注意喚起輪郭を生成する
ことを特徴とする請求項１に記載の情報処理装置。
【請求項６】
所定の画像表示手段に表示された画像中のオブジェクトのオブジェクト輪郭がそれぞれ任意に指定されることにより得られた複数の指定輪郭を統合処理して平均輪郭を生成する統合処理ステップと、
上記オブジェクト輪郭に対し、指定される際に注意を要すると推測される指定注意部分に対応した上記平均輪郭の加工対象部分を加工して注意喚起輪郭を生成する輪郭加工ステップと、
所定の注意喚起輪郭表示手段に上記注意喚起輪郭を表示する表示ステップと
を具えることを特徴とする情報処理方法。
【請求項７】
コンピュータに、
所定の画像表示手段に表示された画像中のオブジェクトのオブジェクト輪郭がそれぞれ任意に指定されることにより得られた複数の指定輪郭を統合処理して平均輪郭を生成する統合処理ステップと、
上記オブジェクト輪郭に対し、指定される際に注意を要すると推測される指定注意部分に対応した上記平均輪郭の加工対象部分を加工して注意喚起輪郭を生成する輪郭加工ステップと、
所定の注意喚起輪郭表示手段に上記注意喚起輪郭を表示する表示ステップと
を実行させるためのプログラム。
【請求項８】
所定の画像表示手段に表示された画像中のオブジェクトのオブジェクト輪郭がそれぞれ任意に指定されることにより得られた複数の指定輪郭を統合処理して平均輪郭を生成する統合処理ステップと、
上記オブジェクト輪郭に対し、指定される際に注意を要すると推測される指定注意部分に対応した上記平均輪郭の加工対象部分を加工して注意喚起輪郭を生成する輪郭加工ステップと、
所定の注意喚起輪郭表示手段に上記注意喚起輪郭を表示する表示ステップと
を具えることを特徴とするプログラムを情報処理装置に実行させるプログラム格納媒体。
【手続補正３】
【補正対象書類名】明細書
【補正対象項目名】０００１
【補正方法】変更
【補正の内容】
【０００１】
【発明の属する技術分野】
本発明は情報処理装置に関し、例えばコンピュータを用いて静止画像中の一部分の表示対象（以下、これをオブジェクトと呼ぶ）の輪郭を抽出する場合に適用して好適なものである。
【手続補正４】
【補正対象書類名】明細書
【補正対象項目名】０００３
【補正方法】変更
【補正の内容】
【０００３】
【発明が解決しようとする課題】
ところでかかる構成のコンピュータにおいては、複雑な絵柄の静止画像であった場合、当該静止画像中に非常に多くのエッジが存在し、輪郭抽出対象のオブジェクトの輪郭（エッジ）だけを正確に抽出することは困難であった。
【手続補正５】
【補正対象書類名】明細書
【補正対象項目名】０００５
【補正方法】変更
【補正の内容】
【０００５】
本発明は以上の点を考慮してなされたもので、オブジェクトの輪郭をほぼ正確に指定させて指定輪郭を入力させ得る情報処理装置を提案しようとするものである。
【手続補正６】
【補正対象書類名】明細書
【補正対象項目名】０００６
【補正方法】変更
【補正の内容】
【０００６】
【課題を解決するための手段】
かかる課題を解決するため本発明においては、所定の画像表示手段に表示された画像中のオブジェクトのオブジェクト輪郭がそれぞれ任意に指定されることにより得られた複数の指定輪郭を統合処理して平均輪郭を生成する統合処理手段と、オブジェクト輪郭に対し、指定される際に注意を要すると推測される指定注意部分に対応した当該平均輪郭の加工対象部分を加工して注意喚起輪郭を生成する輪郭加工手段と、注意喚起輪郭を表示する注意喚起輪郭表示手段とを設けるようにした。
【手続補正７】
【補正対象書類名】明細書
【補正対象項目名】０１６４
【補正方法】変更
【補正の内容】
【０１６４】
このように上述したオブジェクトＯＪ１の代表輪郭線を算出するための輪郭抽出基本プログラム及び選択領域輪郭抽出プログラムをオブジェクト輪郭抽出装置１にインストールして実行可能な状態にするためのプログラム格納媒体としては、例えばフレキシブルディスク、ＣＤ−ＲＯＭ（Compact Disc-Read Only Memory）、ＤＶＤ（Digital Versatile Disc）等のパッケージメディアのみならず、輪郭抽出基本プログラム及び選択領域輪郭抽出プログラムが一時的もしくは永続的に格納される半導体メモリや磁気ディスク等で実現しても良い。またこれらプログラム格納媒体にオブジェクト輪郭抽出プログラムを格納する手段として、ローカルエリアネットワークやインターネット、ディジタル衛星放送等の有線及び無線通信媒体を利用してもよく、ルータやモデム等の各種通信インターフェイスを介して格納するようにしても良い。
【手続補正８】
【補正対象書類名】明細書
【補正対象項目名】０４７６
【補正方法】変更
【補正の内容】
【０４７６】
このように上述したオブジェクトＯＪ４２１の代表輪郭線を算出するためのオブジェクト輪郭抽出プログラムをオブジェクト輪郭抽出装置１にインストールして実行可能な状態にするためのプログラム格納媒体としては、例えばフレキシブルディスク、ＣＤ−ＲＯＭ（Compact Disk-Read Only Memory）、ＤＶＤ（Digital Versatile Disc）等のパッケージメディアのみならず、オブジェクト輪郭抽出プログラムが一時的若しくは永続的に格納される半導体メモリや磁気ディスク等で実現しても良い。またこれらプログラム格納媒体にオブジェクト輪郭抽出プログラムを格納する手段として、ローカルエリアネットワークやインターネット、ディジタル衛星放送等の有線及び無線通信媒体を利用しても良く、ルータやモデム等の各種通信インターフェイスを介して格納するようにしても良い。
【手続補正９】
【補正対象書類名】明細書
【補正対象項目名】０６５５
【補正方法】変更
【補正の内容】
【０６５５】
ここで否定結果が得られると統合処理ブロック３は、輪郭指定傾向分析処理ルーチンＳＲＴ７２０に戻って輪郭指定傾向分析部７１０により、輪郭指定操作を行わせる前にそのときデータ蓄積部７０２に記憶されている全ての喚起後入力輪郭形成点群データＤ７１０a1〜Ｄ７１０anにおける輪郭指定傾向を分析する。
【手続補正１０】
【補正対象書類名】明細書
【補正対象項目名】０７１７
【補正方法】変更
【補正の内容】
【０７１７】
ここで否定結果が得られると統合処理ブロック３は、輪郭指定傾向分析処理ルーチンＳＲＴ７２０に戻って輪郭指定傾向分析部７１０により、輪郭指定操作を行わせる前にそのときデータ蓄積部７０２に記憶されている全ての喚起後入力輪郭形成点群データＤ７４０a1〜Ｄ７４０anにおける輪郭指定傾向を分析する。
【手続補正１１】
【補正対象書類名】明細書
【補正対象項目名】０７５７
【補正方法】変更
【補正の内容】
【０７５７】
このとき統合処理ブロック３は、変換部８０１によって所定サンプリング間隔（サンプリング周波数）と、入力輪郭線において互いに隣接する２つの入力輪郭形成点間（以下、これを隣接形成点区間と呼ぶ）の距離とに基づいて、これら隣接形成点区間の描線速度をそれぞれ算出し、当該算出した複数の描線速度をユーザの描線速度集合データＤ８０１として入力輪郭形成点群データＤ８００に対応付け、次のステップＳＰ８０３へ移る。
【手続補正１２】
【補正対象書類名】明細書
【補正対象項目名】０７８８
【補正方法】変更
【補正の内容】
【０７８８】
因みに、（３６）式中のｎは、上述した（３５）式で用いたｎと同様に順次平均点ＡＰＡ８０１mxの座標を算出する毎に用いた喚起前入力輪郭形成点群データＤ８００Ａの総数を表している。
【手続補正１３】
【補正対象書類名】明細書
【補正対象項目名】０８４８
【補正方法】変更
【補正の内容】
【０８４８】
ステップＳＰ８５１において統合処理ブロック３は、単純平均処理回路８２５から喚起前最終平均輪郭線ＫＥＨＬ８００を形成する複数の喚起前最終平均点ＡＰＡ８０１m1、ＡＰＡ８０１m2、ＡＰＡ８０１m3、……に相当する喚起前最終平均点群データＤ８２４を輪郭生成回路８２６に送出した後、次のステップＳＰ８５２へ移る。
【手続補正１４】
【補正対象書類名】明細書
【補正対象項目名】０８５１
【補正方法】変更
【補正の内容】
【０８５１】
従って統合処理ブロック３は、輪郭生成回路８２６により、喚起前最終平均点群データＤ８２４、重心データＤ８１３及び注意部分指定領域データＤ８２５に基づいて、複数の喚起前最終平均点ＡＰＡ８０１m1、ＡＰＡ８０１m2、ＡＰＡ８０１m3、……のうち注意部分指定領域ＲＹ８００内に存在する、すなわち喚起前最終平均輪郭線ＫＥＨＬ８００の誤差強調部分内に存在する喚起前最終平均点ＡＰＡ８０１m1、ＡＰＡ８０１m2、ＡＰＡ８０１m3、……を認識すると共に、当該認識した喚起前最終平均点ＡＰＡ８０１m1、ＡＰＡ８０１m2、ＡＰＡ８０１m3、……及び重心Ｍ８００間の距離を検出する。
【手続補正１５】
【補正対象書類名】明細書
【補正対象項目名】０９０６
【補正方法】変更
【補正の内容】
【０９０６】
さらに上述の実施の形態においては、本発明によるプログラムを適用した、予め設定された輪郭指定注意喚起プログラムに従って、本発明の情報処理方法を適用した、図１２７及び図１２８、図１３８及び図１３９、図１４４及び図１４５について上述した第１〜第３の注意喚起輪郭線提示処理手順を実行するようにした場合について述べたが、本発明はこれに限らず、輪郭指定注意喚起プログラムをローカルエリアネットワークやインターネット、ディジタル衛星放送等の有線及び無線通信媒体を利用してオブジェクト輪郭抽出装置１にインストールすることにより第１〜第３の注意喚起輪郭線提示処理手順を実行するようにしても良いし、当該輪郭指定注意喚起プログラムが格納されたプログラム格納媒体をオブジェクト輪郭抽出装置１にインストールすることにより第１〜第３の注意喚起輪郭線提示処理手順を実行するようにしても良い。
【手続補正１６】
【補正対象書類名】明細書
【補正対象項目名】０９０８
【補正方法】変更
【補正の内容】
【０９０８】
さらに上述の実施の形態においては、本発明による情報処理装置を図１２４〜図１５１について上述したパーソナルコンピュータ構成のスタンドアロン型のオブジェクト輪郭抽出装置１及びネットワーク型のオブジェクト輪郭抽出装置１０００に適用するようにした場合について述べたが、本発明はこれに限らず、オブジェクト輪郭の指定注意部分を注意して指定するように喚起させることができれば、少なくとも表示部及び分析部（又は指定注意部分を指定入力するための入力部）の機能を有するハードウェア又はソフトウェアが設けられたパーソナルコンピュータ、携帯型電話機、ＰＤＡ（Personal Digital Assistance）等のように、この他種々の情報処理装置に広く適用することができる。
【手続補正１７】
【補正対象書類名】明細書
【補正対象項目名】０９１１
【補正方法】変更
【補正の内容】
【０９１１】
さらに上述の実施の形態においては、オブジェクト輪郭に対し、指定される際に注意を要すると推測される指定注意部分に対応した平均輪郭の加工対象部分を加工して注意喚起輪郭を生成する輪郭加工手段として、図１２４〜図１５１について上述した分析部８０３Ａ、８０３Ｂ、８０３Ｃの輪郭生成回路８１３、８２３、８２６を適用するようにした場合について述べたが、本発明はこれに限らず、オブジェクト輪郭に対し、指定される際に注意を要すると推測される指定注意部分に対応した平均輪郭の加工対象部分を加工して注意喚起輪郭を生成することができれば、この他種々の輪郭加工手段を広く適用することができる。
【手続補正１８】
【補正対象書類名】明細書
【補正対象項目名】０９１６
【補正方法】変更
【補正の内容】
【０９１６】
【発明の効果】
上述のように本発明によれば、画像表示手段に表示した画像中のオブジェクトのオブジェクト輪郭がそれぞれ任意に指定されることにより得られた複数の指定輪郭を統合処理して平均輪郭を生成し、オブジェクト輪郭に対し、指定される際に注意を要すると推測される指定注意部分に対応した当該平均輪郭の加工対象部分を加工して注意喚起輪郭を生成し、当該生成した注意喚起輪郭を注意喚起輪郭表示手段に表示するようにしたことにより、注意喚起輪郭によりオブジェクト輪郭の指定注意部分を注意して指定することをユーザに対して喚起させることができ、かくしてオブジェクト輪郭をほぼ正確に指定させて指定輪郭を入力させ得る情報処理装置を実現することができる。